(57)【要約】【解決手段】吸気口１３より本体ケース２内に吸引した空気を清浄化して排気口４より放出する空気清浄機本体１と、空気清浄機本体を遠隔操作で運転するリモコン４０を具え、空気清浄機本体の正面にリモコンからの信号を受信する正面受信部４４を設け、側面に側面受信部４５を設ける。この側面受信部４５の近傍には、側面に対して９０度回転した上面方向から送信されるリモコン信号を受けて受信部４５へ向けさせる反射板４８を設ける。【効果】受信部を有する正面と側面あるいは上面を設置状況に応じてリモコンを操作する人のいる部屋の内側へ向けて設置することができ、設置態様の多様化が可能になり、使い勝手が向上する。【選択図】　　図２
2004069151.tif 000002
【特許請求の範囲】
【請求項１】
吸気口より本体内に吸引した空気を清浄化して排気口より放出する空気清浄機本体と、該空気清浄機本体を遠隔操作で運転するリモートコントローラを具えたものにおいて、空気清浄機本体の複数の面に、前記リモートコントローラから送信される信号を受信する受信部を設けた空気清浄機。
【請求項２】
前記複数の面は、前記吸気口を有する正面と、正面と隣接する面である請求項１に記載の空気清浄機。
【請求項３】
前記正面と隣接する面は側面である請求項２に記載の空気清浄機。
【請求項４】
前記側面にも前記吸気口を設けた請求項３に記載の空気清浄機。
【請求項５】
前記側面に設けた受信部の近傍には、側面に対して９０度回転した上面方向から送信されるリモートコントローラからの信号を受けて受信部へ向けさせる反射板を設けてなる請求項３又は請求項４に記載の空気清浄機。
【請求項６】
前記反射板には複数の反射面を形成してなる請求項５に記載の空気清浄機。
【請求項７】
前記反射板には前記側面方向からから送信される信号が受信部へ到達するためのスリット孔を形成してなる請求項５又は請求項６に記載の空気清浄機。
【発明の詳細な説明】
【０００１】
【発明の属する技術分野】
本発明は、吸気口より本体内に吸引した空気を清浄化して排気口より放出する空気清浄機に係り、特に空気清浄機本体を遠隔操作で運転するリモートコントローラ（以下、リモコンと称する。）を具えたものに関する。
【０００２】
【従来の技術】
従来、空気清浄機本体の運転をリモコンで遠隔操作により行うようにした空気清浄機として、例えば特開２０００−７９３１２号公報（Ｂ０１Ｄ４６／４４）で知られている。この空気清浄機は、リモコンから送信される赤外線等のリモコン信号は、空気清浄機本体の正面の一箇所に設けられた受信部で受信されるようになっていた。そのため空気清浄機本体は、その正面を空気清浄機本体を操作するリモコンを持った人のいる部屋の内側へ向けて設置しなければならず、設置場所が制限されるものであった。
【０００３】
近年ライフスタイルの多様化により、空気清浄機は部屋のさまざまな場所に置いて使用できることが求められている。このような状況の中で、従来の正面にのみリモコンの受信部が設けられた空気清浄機では、空気清浄機の設置場所が制限され、時代の要請に応えることができないものであった。
【０００４】
【発明が解決しようとする課題】
本発明は、リモコンで操作される空気清浄機の設置態様を多様化できる空気清浄機を提供することを課題とする。
【０００５】
【課題を解決するための手段】
本発明は、吸気口より本体内に吸引した空気を清浄化して排気口より放出する空気清浄機本体と、空気清浄機本体を遠隔操作で運転するリモコンを具えたものにおいて、空気清浄機本体の複数の面に、リモコンから送信される信号を受信する受信部を設けたものである。
【０００６】
かかる構成により、リモコン信号の受信部を有する複数の面のいづれでもリモコンを操作する人のいる部屋の内側へ向けて設置することができ、空気清浄機本体の一面にのみリモコン信号の受信部を設けたものに比べて設置態様の多様化が可能になる。
【０００７】
例えばリモコン信号の受信部を、前記吸気口を有する正面と、正面と隣接する面（例えば側面）に設ければ、正面以外にも側面を部屋の内側へ向けて設置することができる。従って空気清浄機本体の側面に比べて正面の幅が広いことにより、タンスや机等によって正面を部屋の内側へ向けて設置するスペースがない場合でも、正面よりも幅の狭い側面を部屋の内側へ設置することにより、リモコンでの操作が可能となる。
【０００８】
そしてこの場合側面にも吸気口を設ければ、正面の吸気口がタンスや壁等に接近して空気を吸引しにくくなっても、側面の吸気口より部屋の空気を吸引して清浄化することができる。
【０００９】
また前記側面に設けた受信部の近傍には、側面に対して９０度回転した上面方向から送信されるリモコン信号を受けて受信部へ向けさせる反射板を設ける。
【００１０】
このようにすれば、タンスの上などに空気清浄機本体を寝かせてその上面を部屋の内側へ向けて設置した場合でも、リモコン信号を反射板で受けて側面に設けた受信部で受信して運転することができ、設置場所の多様化が一層可能になる。
【００１１】
ここで反射板には複数の反射面を形成することにより、上面方向から送信されるリモコン信号の受信可能な範囲を拡大することができる。
【００１２】
また、反射板には前記側面方向から送信されるリモコン信号が受信部へ到達するためのスリット孔を形成しておけば、反射板に邪魔されることなく、側面方向からの信号を確実に受信部で受信することができる。
【００１３】
【発明の実施の形態】
図１乃至図８に本発明の実施の形態を示し、以下、これらの図に基づき説明する。
【００１４】
１は空気清浄機本体で、外郭を形成する本体ケース２は図４に示すように水平断面が左右方向に長い矩形状に形成されている。この本体ケース２は、図１に示すように上方側を覆う上面カバー５と、正面側を覆う正面カバー６と、背面側を覆う背面カバー７と、側面側を覆う左右の側面カバー８とで構成されている。
【００１５】
上面カバー５には、操作部３と格子状の排気口４が形成されている。操作部３には、運転時間を選択するタイマースイッチ９と運転の入切や風量調整するモード切替スイッチ１０が設けられている。タイマースイッチ９は押す毎に運転時間を１時間、２時間、４時間、連続運転と切り換え、今どのタイマー時間が選択されているかを３個のＬＥＤ１１で表示する。連続運転の場合はいづれのＬＥＤ１１も点灯しない。モード切替スイッチ１０は押す毎に、微弱モード、弱モード、中モード、強モード、特強モードと切りとに運転モードを切り換える。微弱モード、弱モード、中モード、強モード、特強モードの順に風量が多くなる。今どのモードが選択されているかを５個のＬＥＤ１２で表示する。
【００１６】
正面カバー６はほぼ全面にわたって縦方向に鎧戸状の吸気口１３ａが形成されており、上部には、赤外線を透過する前レンズ１４が取付けられており、下部には図３に示すように係止爪１５が形成されている。
【００１７】
背面カバー７の外側上部には、本体ケース２を正面カバー６を上側にして寝かせた状態で設置するときの脚１６が形成されている。また背面カバー７の内側には、後述するファンケーシング２９の端部に当接する渦巻状のリブ１７が形成されている。
【００１８】
側面カバー８にはほぼ全面にわたって縦方向に鎧戸状の吸気口１３ｂが形成されており、この吸気口１３ｂと正面カバー６の吸気口１３ａとで本体ケース２内に空気を吸い込む吸気口１３を構成する。この側面カバー８の内面には図２や図４に示すように、縦方向の補強リブ１８や横方向の補強リブ１９か形成され、縦方向の補強リブ１８の先端が、後述する仕切板２１の上下複数箇所に形成さた横方向の補強リブ３５に当接する。また側面カバー８の正面側の端部には、図２の如く、上下２箇所に押さえ片２０が突設されている。この押さえ片２０は、仕切板２１にねじ止めされており、その先端でもって後述するフィルタ２７が飛び出ないように押さえている。
【００１９】
２１は本体ケース２内を前後に区画する仕切板で、図３に示すように下部に本体ケース２を支持する脚２２が形成され、脚２２の前方側には正面カバー６の係止爪１５が係止される係止孔２３が形成されている。この脚２２の後端は、背面カバー７に設けた前記脚１６と共に本体ケース２を正面カバー６を上側にして寝かせた状態で設置するときの脚となる。
【００２０】
この仕切板２１の略中央に多数の孔２５が形成されており、この孔２５を介して仕切板２１の前後の空間を連通する。
【００２１】
仕切板２１の前方側にはフィルタ収納部２６が一体に形成されており、このフィルタ収納部２６にフィルタ２７が着脱自在に収納される。このフィルタ２７は空気中の塵埃を除去する集塵フィルタと臭気成分を除去する脱臭フィルタとから構成される。またフィルタ２７は側面カバー８の押さえ片２０の先端でもって飛び出ないように押さえられている。
【００２２】
一方、仕切板２１の背面側には、排気口４に連通し、後述するファン２８の側方を囲繞するファンケーシング２９が形成されており、ファンケーシング２９と背面カバー７の内面及び渦巻き状のリブ１７でファン２８を囲繞する。
【００２３】
３０は仕切板２１に取付けられたモータで、その駆動軸３１にファン２８が取り付けられている。
【００２４】
前記背面カバー７は、仕切板２１に適宜ねじ止めされており、側面カバー８も仕切板２１に適宜ねじ止めされており、上面カバー５は、その前後端が図３の如く仕切板２１と背面カバー７にて挟持されており、正面カバー６はその下端の係止爪１５を係止孔２３に係合し、その上部の左右両端に突設した図示しない係止爪を仕切板２１に係合することにより、空気清浄機本体は組み立てられる。
【００２５】
このような空気清浄機の動作は、ファン２８の駆動により部屋の空気が正面カバー６の吸気口１３ａから本体ケース２内に吸い込まれると共に、側面カバー８の吸気口１３ｂからも本体ケース２内に吸い込まれる。吸気口１３ｂから吸い込まれた空気は仕切板２１に形成されたリブ３５に案内されて前方側に流れる。そして、正面カバー６の吸気口１３ａから吸い込まれた空気と共にフィルタ２７を通過して空気中の塵埃と臭気成分が除去され、ファンケーシング２９内に流入し、ファンケーシング２９に案内されて排気口４から部屋内に戻される。
【００２６】
この動作は、操作部３の各スイッチ９や１０を操作することにより行うことができると共に、リモコン４０による遠隔操作によっても行うことができるようになっている。
【００２７】
リモコン４０は本体の操作部３と同様に、タイマースイッチ４１と運転の入切や風量調整するモード切替スイッチ４２が設けられ、これらのスイッチの操作により、送信部４３から赤外線のリモコン信号が送信される。
【００２８】
一方空気清浄機の本体１側には、その正面の上部にリモコン信号の正面受信部４４が設けられていると共に、右側面の上部にも側面受信部４５が設けられ、即ち本体１の２面に受信部４４、４５が具えられている。
【００２９】
正面受信部４４は、仕切板２１の上部に設けた凹部４６内に配備され、送信部４３からの信号を前レンズ１４を介して受信する。受信可能な範囲は、正面に向かって水平方向には左右約６０度の範囲、上下方向には上下約１０度の範囲である。
【００３０】
側面受信部４５は、図５や図７に示すように、上面カバー５の右コーナー部で、本体側操作部３のＬＥＤ１１や１２等を取付けた基板４７の右端部に取付けられている。側面受信部４５のさらに右側の基板４７には、ステンレスや鉄に錫メッキを施した反射板４８が取付けられている。これら側面受信部４５と反射板４８は、赤外線を通すＬ字状の側面レンズ４９で覆われている。側面レンズ４９はその下端の図示しない爪を係止孔５０に係合させ、上端の爪５１を係止孔５２に係合させて取付けられる。
【００３１】
反射板４８は図８に示すように複数の反射面５３乃至５６が形成されていると共に、図６から明らかなように本体１の右側から見て斜めの２本のスリット孔５７が形成されている。
【００３２】
反射板４８は、本体１の側面に対して９０度回転した即ち上面方向から送信されるリモコン信号を受けて側面受信部４５へ向けさせるためのものである。図８は上面方向からのリモコン信号と反射の状況を示したもので、（ａ）（ｂ）は、反射面５３で受けて受信部４５へ反射させる状態、（ｃ）は、反射面５４で受けて受信部４５へ反射させる状態、（ｄ）は、反射面５５で受けて受信部４５へ反射させる状態、（ｅ）は、反射面５５で受けて受信部４５へ反射させると共に点線で表すように直接受信部４５で受信される状態、（ｆ）は、反射面５６で受けて受信部４５へ反射させると共に点線で表すように直接受信部４５で受信される状態、（ｇ）は、反射板４８とは関係なく直接受信部４５で受信される状態、（ｈ）は、スリット孔５７を通過したり反射板４８とは関係なく直接受信部４５で受信される状態を示す。
【００３３】
この結果、上面方向より送信されるリモコン信号に対しては、上面に向かって左右に約６０度の範囲のリモコン信号を受信することができる。
【００３４】
また本体１の右側面方向からのリモコン信号に対しては、斜めの二本のスリット孔５７によって、反射板４８に邪魔されることなく受信部４５で受信でき、受信可能な範囲は、右側面に向かって水平方向には左右約６０度の範囲、上下方向には下に約１０度、上には殆ど制限がない。
【００３５】
ここで前記スリット孔５７は斜めになっているので、小さな孔の面積で本体１の右側面方向からのリモコン信号を効果的に受信部へ通すことが可能になる。
【００３６】
このような複数の受信部４４、４５を有する空気清浄機本体１は、通常吸気口１３ａを有する正面を部屋の内側へ向けて設置され、リモコン信号は正面受信部４４で受信されるが、例えば、図９のＡのように、狭い空間しか置き場所がない場合、正面に比べて幅の狭い右側面を部屋の内側へ向けて設置すれば、リモコンからの信号を側面受信部４５で受信することができるので、図のＡような設置が可能になる。このＡの場合、正面の吸気口１３ａがタンスによって塞がれた状態になっていても、側面の吸気口１３ｂから空気を吸引することができる。
【００３７】
また同図のＢのように、タンスの上など高い場所に設置する場合、立てた状態では転倒した場合危険になるので、図のように正面を上に且つ上面を部屋の内側へ向けて寝かせた状態に設置する。この場合、上面方向からのリモコン信号は、前述の如く反射板４８で反射されて側面受信部４５で受信されるので、Ｂのような設置が可能となる。このようにさまざまな設置態様が可能になる。
【００３８】
以上の実施例では、空気清浄機本体１の正面と側面にリモコン信号の受信部を設けたが、例えば正面と上面、あるいは側面と上面というように他の面に設けてもよい。また受信部を設ける面は２面に限らず３面に設けてもよい。
【００３９】
なおリモコン４０は長方形状になっており、上面カバー５の後端と背面カバー７との間の空間６０に収納できるように工夫されている。上面カバー５の後端には、図１０や図１１に示すように、リモコン４０の長辺を下にして立てた状態で収納する収納部６１が形成されている。この収納部６１内には、図１１において紙面に直角な方向のリモコンの動き（本体１の左右方向の動き）を止めるリブ（図示せず）が形成されている。また収納部６１内には一段と深い凹部６２が形成され、この凹部６２にリモコン４０の短辺を置くことによって、図１２や図１３のようにリモコンの短辺を下にして立てた状態で収納することができる。従ってリモコン４０を目に付きやすいところで保管することができる。
【００４０】
【発明の効果】
本発明は、空気清浄機本体の複数の面に、リモコンから送信される信号を受信する受信部を設けたので、この複数の面のいづれかを設置状況に応じてリモコンを操作する人のいる部屋の内側へ向けて設置することができ、空気清浄機本体の一面にのみリモコン信号の受信部を設けたものに比べて設置態様の多様化が可能になり、使い勝手を向上することができる。
【図面の簡単な説明】
【図１】本発明の実施形態に係る空気清浄機の斜視図である。
【図２】同空気清浄機本体の正面カバーと側面レンズを取り外した状態の斜視図である。
【図３】同空気清浄機本体の縦断面図である。
【図４】同空気清浄機本体の水平断面図である。
【図５】図空気清浄機本体の側面レンズを外した状態の拡大斜視図である。
【図６】図５におけるＡ矢視図である。
【図７】同空気清浄機本体の上面カバーの要部縦断面図である。
【図８】同空気清浄機本体の側面受信部の作用を示す説明図である。
【図９】同空気清浄機本体の設置状態を示す図である。
【図１０】同リモコンの設置状態を示す斜視図である。
【図１１】図１０のＢ−Ｂ線に基づく断面図である。
【図１２】同リモコンの異なる設置状態を示す斜視図である。
【図１３】図１２のＣ−Ｃ線に基づく断面図である。
【符号の説明】
１３　　　　　　吸気口
４　　　　　　排気口
１　　　　　　空気清浄機本体
４０　　　　　　リモコン
４４　　　　　　正面受信部（受信部）
４５　　　　　　側面受信部（受信部）
４８　　　　　　反射板
５３〜５６　　　反射面
５７　　　　　　スリット孔
【図１】
2004069151.tif 000003
【図２】
2004069151.tif 000004
【図３】
2004069151.tif 000005
【図４】
2004069151.tif 000006
【図５】
2004069151.tif 000007
【図６】
2004069151.tif 000008
【図７】
2004069151.tif 000009
【図８】
2004069151.tif 000010
【図９】
2004069151.tif 000011
【図１０】
2004069151.tif 000012
【図１１】
2004069151.tif 000013
【図１２】
2004069151.tif 000014
【図１３】
2004069151.tif 000015